(57)【要約】 電池の残量が所定量未満になった場合でも、人体通信を行うことが可能な電子機器を提供する。電子機器は、人体通信を行うことが可能である。電子機器は、電池と、人体通信を行う人体通信機能部と、を備える。前記電子機器を起動させる操作が行われても前記電子機器が起動しない場合に、人体通信機能部は、前記電池から供給される電圧で人体通信を行う。
2015064597.tif 000002
【特許請求の範囲】
【請求項１】
人体通信を行うことが可能な電子機器であって、
電池と、
人体通信を行う人体通信機能部と、を備え、
前記電子機器を起動させる操作が行われても前記電子機器が起動しない場合に、前記人体通信機能部は、前記電池から供給される電圧で人体通信を行う
電子機器。
【請求項２】
前記人体通信機能部は、電子機器が起動する電圧値よりも低い電圧値で動作する
請求項１に記載の電子機器。
【請求項３】
前記電池と前記人体通信機能部との間に配置され、前記電池から供給された電圧を昇圧する昇圧部をさらに備える
請求項１に記載の電子機器。
【請求項４】
前記昇圧部は、前記人体通信機能部が信号を送信する場合にのみ、前記電池と前記人体通信機能部とに接続して、昇圧後の電圧を前記人体通信機能部に供給する
請求項３に記載の電子機器。
【請求項５】
前記人体通信機能部は、
人体通信用の制御部と、
前記制御部に接続された、人体通信用の記憶部と、
前記制御部によって制御され、前記記憶部に記憶されるデータを送信可能な人体通信用の通信部と、を備え、
前記昇圧部は、昇圧後の電圧を前記通信部のみに供給する
請求項３に記載の電子機器。
【請求項６】
人体通信を行うことが可能な電子機器であって、
電池と、
前記電池から電圧が供給され、前記電子機器を起動させる主制御部と、
人体通信を行う人体通信機能部と、を備え、
前記電池の残量が減少することにより前記主制御部が動作しない場合に、前記人体通信機能部は、前記電池から供給される電圧で人体通信を行う
電子機器。
【請求項７】
前記人体通信機能部は、前記主制御部が動作可能な最低電圧値よりも低い電圧値で動作する
請求項６に記載の電子機器。
【発明の詳細な説明】
【技術分野】
【０００１】
本発明は、人体通信を行う電子機器に関する。
【背景技術】
【０００２】
従来から、人体通信部により人間の身体を介した通信（人体通信）を行うことが可能な電子機器が知られている（特許文献１参照）。
【先行技術文献】
【特許文献】
【０００３】
【特許文献１】日本国特開２０１２−１９１５３５号公報
【発明の概要】
【０００４】
一般的な電子機器においては、機能ブロックが動作できなくなる第１電圧まで電池の電圧が低下した場合、電子機器において利用されるデータ及び設定が保持されないまま動作不可となる可能性がある。このため、電子機器では、動作不可となる事態を回避するために、電池の残量が第１電圧値よりも高い第２電圧値（所定量）になった場合に、自動的にデータ及び設定を保持して、電源をオフにする。
【０００５】
本発明は、電池の残量が所定量になり自動的に電源がオフになった場合でも、人体通信を行うことが可能な電子機器を提供することを目的とする。
【０００６】
本発明の電子機器の一例は、人体通信を行うことが可能な電子機器であって、電池と、人体通信を行う人体通信機能部と、を備え、前記電子機器を起動させる操作が行われても前記電子機器が起動しない場合に、前記人体通信機能部は、前記電池から供給される電圧で人体通信を行う。
【０００７】
上記の電子機器において、前記人体通信機能部は、前記電子機器が起動できる電圧値よりも低い電圧値で動作してもよい。
【０００８】
上記の電子機器において、前記電池と前記人体通信機能部との間に配置され、前記電池から供給された電圧を昇圧する昇圧部をさらに備えてもよい。
【０００９】
上記の電子機器において、前記昇圧部は、前記人体通信機能部が信号を送信する場合にのみ、前記電池と前記人体通信機能部とに接続して、昇圧後の電圧を前記人体通信機能部に供給してもよい。
【００１０】
上記の電子機器において、前記人体通信機能部は、人体通信用の制御部と、前記制御部に接続された、人体通信用の記憶部と、前記制御部によって制御され、前記記憶部に記憶されるデータを送信可能な人体通信用の通信部と、を備え、前記昇圧部は、昇圧後の電圧を前記通信部のみに供給してもよい。
【００１１】
本発明の電子機器の一例は、人体通信を行うことが可能な電子機器であって、電池と、前記電池から電圧が供給され、前記電子機器を起動させる主制御部と、人体通信を行う人体通信機能部と、を備え、前記電池の残量が減少することにより、前記主制御部が動作しない場合に、前記人体通信機能部は、前記電池から供給される電圧で人体通信を行う。
【００１２】
上記の電子機器において、前記人体通信機能部は、前記主制御部が動作可能な最低電圧値よりも低い電圧値で動作してもよい。
【００１３】
本発明によれば、電池の残量が所定量になり自動的に電源がオフになった場合でも、人体通信を行うことが可能な電子機器を提供することができる。
【図面の簡単な説明】
【００１４】
【図１】図１は、実施形態に係る電子機器について説明するためのブロック図である。
【図２】図２は、実施形態に係る電子機器の詳細な第１例について説明するためのブロック図である。
【図３】図３は、詳細な第１例の第１変形例に係る電子機器のブロック図である。
【図４】図４は、詳細な第１例の第２変形例に係る電子機器のブロック図である。
【図５】図５は、実施形態に係る電子機器の詳細な第２例について説明するためのブロック図である。
【図６】図６は、詳細な第２例の第１変形例について説明するためのブロック図である。
【図７】図７は、詳細な第２例の第２変形例について説明するためのブロック図である。
【図８】図８は、詳細な第２例の第３変形例について説明するためのブロック図である。
【図９】図９は、実施形態に係る電子機器の動作について説明するためのフローチャートである。
【実施形態の説明】
【００１５】
以下、本発明の実施形態について説明する。図１は、実施形態に係る電子機器１について説明するためのブロック図である。
【００１６】
電子機器１は、人体通信を行うことが可能である。すなわち、電子機器１は、人間の身体を介して通信を行う。電子機器１は、電池１１と、人体通信機能部２０と、を備える。電池１１は、例えば、二次電池等である。
【００１７】
人体通信機能部２０は、電池の残量が所定量以上の場合、電池１１から供給される電圧で人体通信を行う。
さらに、人体通信機能部２０は、以下に記載する第１の場合又は第２の場合でも、電池１１から供給される電圧で人体通信を行う。第１の場合とは、電池１１の残量が所定量未満であり、ユーザによる電子機器１を起動させるための操作に関わらず、主制御部１２によって電子機器１が起動しない場合である。第２の場合とは、電池１１の残量が所定量よりもさらに減少することにより、電池１１から供給される電圧では後述する主制御部１２が動作しない場合である。ここで、主制御部１２は、電池１１から電圧が供給される。主制御部１２は、電池１１の残量が所定量以上であり、かつ電子機器１を起動させるための操作を受け付けた場合に電子機器１を起動させる。なお、電池１１の残量が所定量未満の場合には、電子機器は起動しない。
【００１８】
電子機器１を起動させるための操作とは、例えば、電子機器１の電源をオンにするための電源投入ボタン（図示せず）の操作である。ユーザによって電源投入ボタンが操作されると、電子機器１は、起動を行う。すなわち、ユーザによって電源投入ボタンが操作されると、主制御部１２は、電子機器１を起動させる。
【００１９】
所定量は、電子機器１に記憶されるソフトウェアによって電源がシャットダウンされる場合の閾値となる電圧値である。そのソフトウェアは、電池１１の残量が所定量未満となる場合に、電池１１を保護するために、電子機器１の電源をシャットダウンする。すなわち、ソフトウェアは、電池１１の残量が所定量未満となる場合に、電源を投入しない。所定量は、第１電圧値よりも高い。第１電圧値は、電池１１から電源供給される各機能ブロックが動作できる最低限の電圧値のうちの最も高い電圧値である。
【００２０】
人体通信機能部２０は、起動処理を行う電圧値よりも低い電圧値で動作する。又は、人体通信機能部２０は、主制御部１２が動作可能な最低電圧値よりも低い電圧値で動作する。すなわち、人体通信機能部２０は、電池１１の残量が所定量未満であり、且つ、電池１１の残量が第１電圧値よりも高い場合でも動作する。
【００２１】
以下、電子機器１の詳細について説明する。まず、詳細な第１例について説明する。図２は、電子機器１の詳細な第１例について説明するためのブロック図である。
【００２２】
電子機器１は、主制御部１２と、表示部１３と、メインメモリ１４と、電源ＩＣ１５と、人体通信機能部２０と、を備える。主制御部１２は、電子機器１の全体を制御する。電池１１の残量が所定量未満となった場合、主制御部１２は、表示部１３及びメインメモリ１４の動作を停止させると共に、自身（主制御部１２）の動作も停止させる。
【００２３】
表示部１３は、主制御部１２による制御に基づいて、画像を表示する。
メインメモリ１４は、電子機器１において利用されるアプリケーション及びデータを記憶する。
電源ＩＣ１５は、例えば、電池１１の出力電圧値を所定の電圧値に変換して、電子機器１の各部に供給する。
【００２４】
人体通信機能部２０は、人体通信用のＣＰＵ２１と、人体通信用のメモリ２２と、人体通信用の通信部２３と、を備える。人体通信用のＣＰＵ２１は、本発明の「制御部」の一実施形態に対応する。メモリ２２は、本発明の「記憶部」の一実施形態に対応する。
【００２５】
図２に示す場合、ＣＰＵ２１は、ベースバンドＩＣ（ＢＢＩＣ）を備える。ＣＰＵ２１は、人体通信が行われる場合に動作する。ＣＰＵ２１は、メモリ２２と、通信部２３と、を制御する。
【００２６】
メモリ２２は、ＣＰＵ２１に接続される。メモリ２２は、人体通信によって伝送されるデータ等を記憶する。
通信部２３は、ＣＰＵ２１によって制御され、メモリ２２に記憶されるデータを送信可能である。通信部２３は、高周波集積回路（ＲＦＩＣ）（図示せず）と、アンテナ（図示せず）と、を備える。
ＣＰＵ２１、メモリ２２及び通信部２３は、いずれも、電池１１の残量が所定量未満でも、第１電圧値よりも高い場合動作する。
【００２７】
なお、電子機器１は、図２に例示する構成に限定されることはない。例えば、電子機器１は、図３又は図４に示す構成であってもよい。図３は、詳細な第１例の第１変形例に係る電子機器１のブロック図である。図４は、詳細な第１例の第２変形例に係る電子機器１のブロック図である。
【００２８】
図３に示すように、人体通信用のメモリは、メインメモリ１４と兼用されてもよい。メインメモリ１４は、人体通信によって伝送されるデータ等を記憶する。図３に示す構成において、メインメモリ１４は、電池１１の残量が所定量未満でも、第１電圧値よりも高い場合は動作する。この場合、主制御部１２は、電池１１の残量が所定量未満となった場合、表示部１３の動作を停止させると共に、自身（主制御部１２）の動作も停止させる。一方、ＣＰＵ２１は、低電力で動作するため、人体通信を行う場合、メインメモリ１４からデータを読み出して、通信部２３を介してデータを伝送させる。
【００２９】
また、図４に示す電子機器１では、ＣＰＵは、メモリ及びカード通信部と一体となる。ＣＰＵ、メモリ及びカード通信部の符号は、「２４」とする。図４に示す電子機器１には、ＢＢＩＣ２５と、人体通信用の通信部２３とが、独立して配される。
【００３０】
カード通信部２４は、近距離無線通信を行う。一例として、カード通信部２４は、Ｆｅｌｉｃａ（登録商標）カードの通信を行う。カード通信部２４は、近距離無線通信用のアンテナ（図示せず）を備える。ＣＰＵ２４は、人体通信を行う場合、メモリ２４に記憶されたデータを、通信部２３を介して伝送させる。ＣＰＵ２４は、近距離無線通信を行う場合、メモリ２４に記憶されたデータを、カード通信部２４を介して伝送させる。
【００３１】
次に、詳細な第２例について説明する。図５は、電子機器１の詳細な第２例について説明するためのブロック図である。
【００３２】
電子機器１は、主制御部１２と、表示部１３と、メインメモリ１４と、電源ＩＣ１５と、人体通信機能部２０と、を備える。主制御部１２と、表示部１３と、メインメモリ１４と、電源ＩＣ１５と、人体通信機能部２０とは、第１例で説明した各部それぞれと同様な構成である。
【００３３】
電子機器１は、昇圧部３１をさらに備える。昇圧部３１は、電池１１と人体通信機能部２０との間に配置される。昇圧部３１は、電池１１から供給された電圧を昇圧する。すなわち、昇圧部３１は、電源ＩＣ１５から出力された電圧を昇圧して、人体通信機能部２０を構成する、メモリ２２と、ＣＰＵ２１と、通信部２３とのそれぞれに供給する。昇圧部３１は、例えば、ＤＣ／ＤＣコンバータである。
【００３４】
又は、図６に示すように、昇圧部３１は、人体通信機能部２０が信号（データ）を送信する場合にのみ、電池１１と人体通信機能部２０とに接続して、昇圧後の電圧を人体通信機能部２０に供給してもよい。図６は、詳細な第２例の第１変形例について説明するためのブロック図である。電子機器１は、第１スイッチ部３２を備える。第１スイッチ部３２は、電子機器１が人体通信を行う場合に、電源ＩＣ１５と人体通信機能部２０との間に昇圧部３１を接続する。例えば、電子機器１は、通信部２３において受信信号を感知した場合、ＣＰＵ２１の制御により第１スイッチ部３２を昇圧部３１に接続させ、通信部２３に昇圧された電圧を印加する。これにより、電子機器１が人体通信を行わない場合には、電源ＩＣ１５から人体通信機能部２０に暗電流が流れないので、電子機器１は、電力消費を抑えることができる。
【００３５】
又は、図７に示すように、昇圧部３１は、昇圧後の電圧を通信部２３のみに供給してもよい。図７は、詳細な第２例の第２変形例について説明するためのブロック図である。電子機器１は、第２スイッチ部３３を備える。第２スイッチ部３３は、電源ＩＣ１５と通信部２３との間に接続される。第２スイッチ部３３は、電子機器１が人体通信を行う場合に、ＣＰＵ２１の制御により、電源ＩＣ１５と通信部２３との間に昇圧部３１を接続する。ここで、メモリ２２及びＣＰＵ２１には、直接、電源ＩＣ１５から電圧が印加される。これにより、電子機器１は、図６に示す場合に比べて、電力消費を抑えることができる。
【００３６】
又は、図８に示すように、昇圧部３１は、電池１１の残量が所定量未満になった場合に、電池１１と人体通信機能部２０とに接続して、昇圧後の電圧を人体通信機能部２０に供給してもよい。図８は、詳細な第２例の第３変形例について説明するためのブロック図である。電子機器１は、第３スイッチ部３４を備える。第３スイッチ部３４は、電池１１の残量が所定量未満になった場合に、電源ＩＣ１５の制御により、電源ＩＣ１５と人体通信機能部２０との間に昇圧部３１を接続する。これにより、電池１１の残量が所定量未満になった場合、電池１１から出力された電圧は、電源ＩＣ１５を介さずに、人体通信機能部２０に供給される。このような構成でも、電子機器１は、人体通信を行うことができる。
【００３７】
次に、図６又は図７に示す場合の電子機器１の動作について説明する。図９は、電子機器１の動作について説明するためのフローチャートである。
【００３８】
ステップＳＴ１において、ＣＰＵ２１は、通信部２３によって受信信号を感知したか否かを判断する。さらに、ＣＰＵ２１は、電池１１の残量が所定量未満であるか否かを判断する。電池１１の残量が所定量未満であり、且つ、通信部２３が受信信号を感知した場合（ＹＥＳ）には、ＣＰＵ２１は、処理をステップＳＴ２に進める。通信部２３が受信信号を感知していない場合（ＮＯ）には、ＣＰＵ２１は、ステップＳＴ１の判断を再度行う。
なお、ＣＰＵ２１は、電池１１の残量が所定量以上の場合には、通信部２３が受信信号を感知しても、処理をステップＳＴ２に進めない。すなわち、電池１１の残量が所定量以上の場合には、人体通信機能部２０には、昇圧部３１を介さずに電圧が供給される。
【００３９】
ステップＳＴ２において、ＣＰＵ２１は、スイッチ部（第１スイッチ部３２又は第２スイッチ部３３）に、切り替え信号を送信する。ステップＳＴ２における切り替え信号は、電池１１と昇圧部３１とを接続するための信号である。
【００４０】
ステップＳＴ３において、ＣＰＵ２１は、人体通信を行う。
【００４１】
ステップＳＴ４において、ＣＰＵ２１は、メモリ２２に記憶されるデータの送信が完了したか否かを判断する。送信が完了した場合（ＹＥＳ）には、ＣＰＵ２１は、処理をステップＳＴ５に進める。送信が完了してない場合（ＮＯ）には、ＣＰＵ２１は、ステップＳＴ４の判断を再度行う。
【００４２】
ステップＳＴ５において、ＣＰＵ２１は、スイッチ部（第１スイッチ部３２又は第２スイッチ部３３）に、切り替え信号を送信する。ステップＳＴ５における切り替え信号は、電池１１と昇圧部３１とを非接続にするための信号である。
【００４３】
以上説明したように、電子機器１は、電池１１の残量が、電子機器１が起動しない所定量未満である場合に、電池１１から供給される電圧で人体通信を行う。同時に、電池１１の残量が減少することにより、主制御部１２が動作しない場合に、電池１１から供給される電圧で人体通信を行う。これにより、電子機器１は、電池１１の電圧が電子機器を起動できる所定の電圧（所定量に対応する電圧）を下回った場合でも、人体通信を行うことができる。
【００４４】
電子機器１において、人体通信機能部２０は、起動処理を行う電圧値よりも低い電圧値で動作する。すなわち、電子機器１において、人体通信機能部２０は、主制御部１２が動作可能な最低電圧値よりも低い電圧値で動作する。これにより、電子機器１の各部がソフトウェアによりシャットダウンされる場合でも、電子機器１は、人体通信を行うことができる。
【００４５】
電子機器１は、昇圧部３１を備える。これにより、電子機器１の各部がソフトウェアによりシャットダウンされて起動することができない場合でも、人体通信機能部２０は、昇圧部３１によって昇圧された電圧によって動作することができる。
【００４６】
電子機器１において、昇圧部３１は、人体通信機能部２０が信号を送信する場合にのみ、電池１１と人体通信機能部２０とに接続して、昇圧後の電圧を人体通信機能部２０に供給する。これにより、電子機器１が人体通信を行わない場合には、電源ＩＣ１５から人体通信機能部２０に暗電流が流れないので、電子機器１は、電力消費を抑えることができる。
【００４７】
電子機器１において、昇圧部３１は、昇圧後の電圧を通信部２３のみに供給する。これにより、電子機器１は、電力消費をより抑えることができる。
【００４８】
本出願は、２０１３年１０月２９日出願の日本特許出願・出願番号2013-224350 に基づくものであり、その内容はここに参照として取り込まれる。
【符号の説明】
【００４９】
１  電子機器
１１  電池
１２  主制御部
２０  人体通信機能部
２１  ＣＰＵ（制御部）
２２  メモリ（記憶部）
２３  通信部
３１  昇圧部
【図１】
2015064597.tif 000003
【図２】
2015064597.tif 000004
【図３】
2015064597.tif 000005
【図４】
2015064597.tif 000006
【図５】
2015064597.tif 000007
【図６】
2015064597.tif 000008
【図７】
2015064597.tif 000009
【図８】
2015064597.tif 000010
【図９】
2015064597.tif 000011
【国際調査報告】
2015064597.tif 000012
2015064597.tif 000013